(57)【要約】【課題】コンクリートダムの既設施工面上を走行路として台車を走行させ、さらに傾斜路に移動させ、ここで下方に配備した運搬手段にコンクリートを移し替える際に使用するシュートなどの設備もウインチなどの巻上装置と一体のものとして設置や移動が容易に行え、コンクリートの搬送設備としての新たな掘削・基礎工事も不要となり施工性の向上を図れるコンクリートの搬送設備を得る。【解決手段】斜めシュート１５およびホッパー１６を付設した傾斜板９による傾斜路が備わった自走式の巻上装置２を築造中のコンクリートダムの堤体１に配備し、コンクリートを搭載したダンパー車４を前記巻上装置２にワイヤー１３を介して接続し、コンクリートダムの下流斜面３を走行路としてダンパー車４を巻上装置２で牽引し引き上げる。【選択図】        図１
2005023692.tif 000002
【特許請求の範囲】
【請求項１】
シュートおよびホッパーを付設した傾斜路が備わった自走式の巻上装置を築造中のコンクリートダムの堤体に配備し、コンクリートを搭載したダンパー車を前記巻上装置にワイヤーを介して接続し、コンクリートダムの斜面を走行路としてダンパー車を巻上装置で牽引し引き上げることを特徴としたコンクリートの搬送設備。
【請求項２】
前記シュートは、傾斜路から側方に向けて先端が突出することを特徴とする請求項１記載のコンクリートの搬送設備。
【発明の詳細な説明】
【０００１】
【発明の属する技術分野】
この発明は、コンクリートダムを築造する際に、ダム堤内にコンクリートを搬送するコンクリート搬送設備に関するものである。
【０００２】
【従来の技術】
コンクリートダムを築造する際、コンクリートの搬入には従来からケーブルクレーンやタワークレーンが用いられていたが、ＲＣＤ工法が採用されるようになった近年は、インクラインと称せられる設備が使用されている。これは、築造中のコンクリートダムの頂部に自走式の巻上装置を配備し、この巻上装置にワイヤーを介して走行台車を接続し、コンクリートダムの既設施工面上を走行路として台車を走行させ、台車がコンクリートダムの既設施工面を上るときに、台車にコンクリートを搭載して運搬するようにしている（例えば、特許文献１参照）。
【０００３】
この場合、台車は車輪と空気圧などを利用して転倒するバケットとを装備するもので、台車は巻上装置のウインチに巻回されたワイヤーを巻き取ることで、施工済みの施工面上を走行路として上り、さらに前記走行路の延長上に配置した巻上装置に装備されている傾斜路に移動し、傾斜路の最上位置で停止し、ここでバケットのみを前方に転倒して運搬してきたコンクリートを下方に放出して運搬車両に移し替える。
【０００４】
また、台車から運搬車両にコンクリートを移し替える際に使用するシュートなどの設備（シュートおよびこのシュートを支持するフレーム）は、傾斜路の下方に巻上装置とは別体のものとして運搬車両の上方にこれを跨ぐようにして配設される。
【０００５】
【特許文献１】
特開昭６２−２６４２６２号公報
【０００６】
【発明が解決しようとする課題】
このようにコンクリートダムの既設施工面上を走行路として台車を走行させ、さらに傾斜路に移動させ、ここで下方に配備した運搬車両にコンクリートを移し替えるものであるが、運搬車両に移し替える際に使用するシュートなどの設備は、巻上装置とは別体のものとして配設されるため、それぞれ別に設置する手間を要するだけでなく、次のコンクリート打設場所に巻上装置を移動するときに、巻上装置の移動とは別にシュートなどの設備を別途移動させる必要があり、施工性のよくないものになっている。
【０００７】
この発明の目的は前記従来例の不都合を解消し、コンクリートダムの既設施工面上を走行路として台車を走行させ、さらに傾斜路に移動させ、ここで下方に配備した運搬手段に台車からコンクリートを移し替える際に使用するシュートなどの設備もウインチなどの巻上装置と一体のものとして設置や移動が容易に行え、コンクリートの搬送設備としての新たな掘削・基礎工事も不要となり施工性の向上を図れるコンクリートの搬送設備を提供することにある。
【０００８】
【課題を解決するための手段】
この発明は前記目的を達成するため、第１に、シュートおよびホッパーを付設した傾斜路が備わった自走式の巻上装置を築造中のコンクリートダムの堤体に配備し、コンクリートを搭載したダンパー車を前記巻上装置にワイヤーを介して接続し、コンクリートダムの斜面を走行路としてダンパー車を巻上装置で牽引し引き上げることを要旨とするものである。
【０００９】
第２に、シュートは、傾斜路から側方に向けて先端が突出することを要旨とするものである。
【００１０】
請求項１記載のこの発明によれば、巻上装置に巻回したワイヤーでダンパー車を引き上げれば、ダンパー車は築造中のコンクリートダムの斜面を走行路として走行し、巻上装置の傾斜路に引き上げられる。よって、ここで傾斜路の下方に配備した運搬手段にコンクリートを移し替えれば、所定のコンクリート打設位置にコンクリートを容易に運搬できる。この場合、運搬手段への移し替えに使用するシュートやホッパーなどの設備は、傾斜路に付設してあるから、巻上装置を自走で移動するときにこのシュートやホッパーなどの設備もこれと一体となって移動することができ、設置や移動が簡単に行えて施工性がよい。また、コンクリートの搬送設備として新たな掘削や基礎工事は不要であるから、工期短縮・コスト削減にも寄与する。
【００１１】
請求項２記載のこの発明によれば、前記作用に加えて、シュートは、傾斜路から側方に向けて先端が突出するように配設されるから、運搬手段を傾斜路の直下ではなく側方に配備でき、作業性のよいものになる。また、ダンパー車からシュートにコンクリートを放出するための開口などを傾斜路の傾斜板などに設ける必要がなく、構造も簡単となる。
【００１２】
【発明の実施の形態】
以下、図面についてこの発明の実施の形態を詳細に説明する。図１は、この発明のコンクリートの搬送設備の実施形態を示す側面図、図２は、同平面図で、この発明のコンクリート搬送設備は、築造中のコンクリートダムの堤体１の頂部に配備する巻上装置２と、コンクリートダムの下流斜面３を走行路として移動する台車であるダンパー車４とで構成される。
【００１３】
ダンパー車４は、図３に示すように走行車輪５を備えたフレーム６の側方に回動自在なバケット７を設けたもので、該バケット７は、例えばフレーム６に搭載した空気圧機構や油圧機構などにより駆動する。
【００１４】
巻上装置２は、架台８上に傾斜路を形成する傾斜板９とウインチ１０とを装備したもので、架台８の底部には走行車輪１１を設けた（図４参照）。
【００１５】
前記傾斜板９の上端にはシーブ１２を取り付けて、ウインチ１０に巻回したワイヤー１３の自由端を、シーブ１２を介して前記ダンパー車４に緊結する。
【００１６】
巻上装置２の架台８の上部から下側方に向けて斜めのシュート１５を付設するとともに、フレーム１４を垂設し、このフレーム１４にホッパー１６を取り付けた。この状態で、ホッパー１６は、斜めシュート１５の下部開口端に臨むように配設されることになる（図４参照）。
【００１７】
図中１７は架台８に取り付けた階段（図２参照）、１８は手摺（図１参照）を示す。
【００１８】
次にコンクリートの運搬方法について説明する。図１に示すように築造中のコンクリートダムの堤体１の頂部に巻上装置２を設置し、傾斜板９の下端をコンクリートダムの下流斜面３の最上端に位置させる。そして、ウインチ１０から引き出したワイヤー１３の自由端をダンパー車４に緊結し、該ダンプ車４をコンクリートダムの下流斜面３の最下部に配備する。
【００１９】
ダンプトラック１９などの運搬手段の荷台等にコンクリートを搭載し、コンクリートダムの下流斜面３の最下部までコンクリートを搬入し、ここでダンパー車４のバケット７にコンクリートを移し替える。次いでウインチ１０を駆動してワイヤー１３を巻き上げれば、コンクリートを搭載したダンパー車４はワイヤー１３に牽引されて下流斜面３を走行路として上方に移動し、さらに傾斜板９上を上方に移動する。
【００２０】
一方、巻上装置２に付設のホッパー１６の下方位置にはコンクリート搬送用のダンプトラック１９などの運搬手段を配備しておく。傾斜板９上の所定位置までダンパー車４を移動したならば、牽引を停止しバケット７を側方に回動して転倒させれば、バケット７内のコンクリートは斜めシュート１５内に放出され、ここからさらに下方のホッパー１６に投入されてダンプトラック１９の荷台に移し替えられる。
【００２１】
そして、ダンプトラック１９をコンクリート打設場所まで移動してコンクリートの打設を行う。
【００２２】
コンクリートを放出したダンパー車４は、傾斜板９および下流斜面３を下降し、下流斜面３の最下部で再度コンクリートを積み込み、再度下流斜面３および傾斜板９を上昇して堤体１の頂部にコンクリートを運搬する。
【００２３】
ところで、巻上装置２が設置された場所は、コンクリートの打設が行えないため、巻上装置２を移動させる必要があるが、この場合は、図４に示すようにダンパー車４を傾斜板９上に固定した状態で、走行車輪１１を駆動して移動させる。このとき、斜めシュート１５は傾斜板９に、また、ホッパー１６はフレーム１４を介して傾斜板９に固定されているから、斜めシュート１５およびホッパー１６も巻上装置２と一体となって同時に移動できる。
【００２４】
【発明の効果】
以上述べたようにこの発明のコンクリートの搬送設備は、コンクリートダムの既設施工面上を走行路として台車を走行させ、さらに傾斜路に移動させ、ここで下方に配備した運搬手段に台車からコンクリートを移し替える際に使用するシュートやホッパーなどの設備もウインチなどの巻上装置と一体のものとして設置や移動が同時に、かつ、容易に行え、施工性の向上を図れるものである。
【図面の簡単な説明】
【図１】この発明のコンクリートの搬送設備の実施形態を示す側面図である。
【図２】この発明のコンクリートの搬送設備の実施形態を示す平面図である。
【図３】この発明のコンクリートの搬送設備の実施形態を示すダンパー車の背面図である。
【図４】この発明のコンクリートの搬送設備の実施形態を示す要部である巻上装置の移動時の側面図である。
【符号の説明】
１…堤体                        ２…巻上装置
３…下流斜面                    ４…ダンパー車
５…走行車輪                    ６…フレーム
７…バケット                    ８…架台
９…傾斜板                      １０…ウインチ
１１…走行車輪                  １２…シーブ
１３…ワイヤー                  １４…フレーム
１５…斜めシュート              １６…ホッパー
１７…階段                      １８…手摺
１９…ダンプトラック
【図１】
2005023692.tif 000003
【図２】
2005023692.tif 000004
【図３】
2005023692.tif 000005
【図４】
2005023692.tif 000006